(57)【要約】      （修正有）【課題】どこにでもかばんやバッグに入れて持ち運び、使用したい場所に設置できる利便性の高いハンガーを提供する。【解決手段】支持部４の底面には、滑動防止手段５が、接着、ネジ止め等の固定方法により固定されており、ハンガー３と一体に形成されている。該滑動防止手段５は、通常、滑り摩擦抵抗を有する材料で、且つ適度な可撓性を有する材料で構成され、材質例としては、ゴム、スポンジ、合成樹脂、マグネットゴムテープ等が使用されている。そのため、使用時に荷重Ｗが掛かると、設置部１に対し摩擦力が発生するため滑動防止が図れると共に、その可撓性によりハンガー３が、物品２の重心にたいし、若干の傾きを生じ、安定した指示状態を得ることが出来るように構成されている。ハンガー３の中央部分には、湾曲部６が形成され、ハンガー３の下端部分には、受け部７が形成され該受け部７に物品２を掛けることができるよう構成されている。【選択図】図２
0003117894.tif 000002
【実用新案登録請求の範囲】
【請求項１】
携帯可能な小物用ハンガーであって、該ハンガーの上端部には、支持部が設けられ物品の荷重Ｗを、設置部に載荷することができ、
支持部の底面には、滑動防止手段が、接着、ネジ止め等の固定方法により固定されており、該滑動防止手段は、通常、滑り摩擦抵抗を有する材料で、且つ適度な可撓性を有する材料、例えばゴム、スポンジ、合成樹脂、マグネットゴムテープ等で構成され、
ハンガーの下端部分には、受け部が形成され該受け部に物品を掛けることができるよう構成されており、
ハンガーの上端の右端面より支持点４ａまでの寸法Ａは、５〜４０ｍｍに設定され、
該支持点４ａから湾曲部の内側までの寸法Ｂは、４０〜１５０ｍｍに設定され、
湾曲部の内側から外側までの寸法Ｃは、２〜４０ｍｍに設定され、
支持部の滑動防止手段の下端から受け部の上端までの距離Ｄは、２０〜１５０ｍｍに設定され、
更に支持部の幅寸法Ｆは５〜５０ｍｍに設定されると共に、
ハンガーの材質は、必要な強度と適度な重量を有する例えば、アルミ、ステンレス、鉄、銅、等の金属や、アクリル合成樹脂    、ポリカーボネイト樹脂、Ｐ．Ｐ等の合成樹脂、また木材、硬質加工紙等の紙等で構成することにより、室内外のいずれの設置部においても、物品を掛けることが可能となることを特徴とする小物用ハンガー。
【請求項２】
湾曲部に、折畳み可能なヒンジ部を有することにより携帯性、収納性を向上させたことを特徴とする請求項１記載の小物用ハンガー。
【考案の詳細な説明】
【技術分野】
【０００１】  本考案は、携帯用の小物用ハンガーに関する。
【背景技術】
【０００２】  従来より、小物用ハンガーや掛け金は一般的に供給されてきたが、しかし現実生活の特別な場面、たとえば、外出時等、飲食店、ゲームセンター、パチンコ店、喫茶店、映画館等の内外や、電車内等において、かばん、買物袋、ハンドバッグや帽子等を掛ける場所がない場合に、近くの机や、棚、テーブル等に、掛けることのできるハンガーがなく、そのため、膝の上に置いたり、足元に置いたりせねばならず、邪魔になったり、保管に不安が有ったりしていた。これは健常者だけでなく、ハンディを持つ人やお年寄りに極めて必要とされていた。
【考案の開示】
【考案が解決しようとする課題】
【０００３】  本考案は、上記の不便を解消し、且つ携帯に便利な小物用ハンガーを提供するものである。
【課題を解決するための手段】
【０００４】  携帯可能な小物用ハンガーであって、該ハンガーの上端部には、支持部が設けられ物品の荷重Ｗを、設置部に載荷することができ、
支持部の底面には、滑動防止手段が、接着、ネジ止め等の固定方法により固定されており、該滑動防止手段は、通常、滑り摩擦抵抗を有する材料で、且つ適度な可撓性を有する材料、例えばゴム、スポンジ、合成樹脂、マグネットゴムテープ等で構成され、
ハンガーの下端部分には、受け部が形成され該受け部に物品を掛けることができるよう構成されており、
ハンガーの上端の右端面より支持点４ａまでの寸法Ａは、５〜４０ｍｍに設定され、
該支持点４ａから湾曲部の内側までの寸法Ｂは、４０から１５０ｍｍに設定され、
湾曲部の内側から外側までの寸法Ｃは、２〜４０ｍｍに設定され、
支持部の滑動防止手段の下端から受け部の上端までの距離Ｄは、２０〜１５０ｍｍに設定され、
更に支持部の幅寸法Ｆは５〜５０ｍｍに設定される。【０００５】  ハンガーの材質は、必要な強度と適度な重量を有する例えば、アルミ・ステンレス・鉄・銅、等の金属や、アクリル合成樹脂樹脂・ポリカーボネイト樹脂・Ｐ．Ｐ等の合成樹脂、また木材、硬質加工紙等の紙等で構成することにより、室内外のいずれの設置部においても、物品を掛けることが可能となることを特徴とする小物用ハンガーを提供するものである。【０００６】    更に、湾曲部に、折畳み可能なヒンジ部を有することにより携帯性、収納性を向上させたことを特徴とする小物用ハンガーを提供するものである。
【考案の効果】
【０００７】  本考案の小物用ハンガーは、以下の多くの優れた効果を有するものである。
（１）携帯に便利な大きさと重量であるため、どこにでもかばんやバッグに入れて持ち運び、使用したい場所で使用できる、特に飲食店、ゲームセンター、パチンコ店、喫茶店、映画館等の店舗においては、留まることが多いため、極めて効果を発揮する。
（２）自分の身の回りの場所に、設置できるので、左右の手を自由にでき膝や足元などに置く必要がない。
（３）近くに設置できるためセキュリティー上の管理がし易い。
（４）飲食店、ゲームセンター、パチンコ店、喫茶店、映画館等の店舗においては、本考案品を、お店側が顧客へのサービスとして準備し、要望に応じ提供することにより、顧客に喜ばれ集客向上に寄与する。
（５）電車の中、等においては、手荷物を混雑時に棚やバーに掛けられるので、省スペース効果があり、混雑状態の緩和やマナー向上が図られる。
（６）自ら小物用ハンガーを設置するため、物品への意識が向上し、忘れ物をすることが減少する。
【考案を実施するための最良の形態】
【０００８】    本考案は、発明の効果に前述した如く、簡単な構造で極めて利便性があり、すべての人が使える画期的な構成をすることができたのである。【０００９】  なお、本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。以下図面に基づいて詳細を説明する。
【実施例１】
【００１０】  以下、本考案の実施例について、図面を参照しながら説明する。
この実施例１は、図１に、その使用状態の斜視図を示すように、棚、机、テーブル、バー等の設置部１にハンガー３を引っ掛け、それに、かばん、買物袋、ハンドバッグや帽子等の物品２を掛けるように、使用するものである。【００１１】  図２は、実施例１の正面図を示し、図３は、実施例１の平面図を示し、図４は、実施例１の右側面図を示すものである。【００１２】  ハンガー３の上端部には、支持部４が設けられ物品２の荷重Ｗを、設置部１に載荷することができる。【００１３】  支持部４の底面には、滑動防止手段５が、接着、ネジ止め等の固定方法により固定されており、ハンガー３と一体に形成されている。
該滑動防止手段５は、通常、滑り摩擦抵抗を有する材料で、且つ適度な可撓性を有する材料で構成され、材質例としては、ゴム、スポンジ、合成樹脂、マグネットゴムテープ等が使用されている。【００１４】  そのため、使用時に、荷重Ｗが掛かると、設置部１に対し摩擦力が発生するため滑動防止が図れると共に、その可撓性によりハンガー３が、物品２の重心にたいし、若干の傾きを生じ、安定した支持状態を得ることができるように構成されている。【００１５】  ハンガー３の中央部分には、湾曲部６が形成され、ハンガー３の下端部分には、受け部７が形成され該受け部７に物品２を掛けることができるよう構成されている。【００１６】  前記ハンガー３の寸法、重量等は、その使用の目的に対し、最適に構成することが、実用上極めて重要であり、前述の目的場面に置ける大きな必要性に答えるため、数多くの試作と実験を行い最適条件を得ることができた。【００１７】  その上で、本寸法限定を行うことにより考案の目的を達成することができた。従って誰でもが、思いつくような単なる設計上の選択範囲ではない技術思想を提供するものである。【００１８】  その特定した寸法について説明すると、図２、図３に示すごとく、ハンガー３の上端の右端面より支持点４ａまでの寸法Ａは、５〜４０ｍｍに設定される。【００１９】    これは、寸法Ａが５ｍｍ以下ではわずかのブレで、物品２を安定して支えることができず脱落してしまうためである。【００２０】    また、４０ｍｍ以上になると、前記ハンガー３の寸法が、過大となるため本考案の目的である利便性が著しく損なわれるからである。【００２１】  該支持点４ａから湾曲部６の内側までの寸法Ｂは、４０から１５０ｍｍに設定される。
これは、寸法Ｂが４０ｍｍ以下では設置部１の端面からの距離がとれないため、その端面に当たってしまい安定して掛けることができず必要な大きさの物品２を掛けることを制限されるためである。又物品２の重量を支えることができないほど小型になるためである。【００２２】    また、１５０ｍｍ以上になると、前記ハンガー３の寸法が、過大となるため本考案の目的である利便性が著しく損なわれるからである。【００２３】  また、湾曲部６の内側から外側までの寸法Ｃは、２〜４０ｍｍに設定される。
これは、寸法Ｃが２ｍｍ以下では、荷重Ｗに対し、ハンガー３の曲げ強度が不足するためである。また、４０ｍｍ以上になると、前記ハンガー３の寸法や重量が、過大となり、本考案の目的である利便性が著しく損なわれ、又製作コストが上昇するからである。
また支持部の滑動防止手段５の下端から受け部７の上端までの距離Ｄは、２０〜１５０ｍｍに設定される。【００２４】    これは、寸法Ｄが２０ｍｍ以下では設置部１の厚さより大きくなって使用できなくなるためと、物品２を掛け難くなるためである。
また、１５０ｍｍ以上になると、前記ハンガー３の寸法が、過大となるため本考案の目的である利便性が著しく損なわれるからである。【００２５】    次に支持点４ａから物品を掛ける受け点７ａまでの水平距離Ｅは、湾曲部６の方向には３０ｍｍ、逆に右端部の方向には、２０ミリの範囲で設定される。
これは、それ以上に受け点の距離を離すと、大きな旋回モーメントが発生し前記ハンガー３が傾くため安定した支持ができ難くなるためである。【００２６】    また図３に示す幅寸法Ｆは支持部４の幅を示しており、幅寸法Ｆは５〜５０ｍｍに設定される。これは幅寸法Ｆが５ミリ以下であると安定した支持が得にくくなるためである。
また５０ｍｍ以上になると、前記ハンガー３の寸法が、過大となるため本考案の目的である利便性が著しく損なわれることと設置部１の幅を取るため掛ける場所に制限が起きるためである。【００２７】    寸法Ｔは前記ハンガー３の湾曲部６の厚さ、または幅を示すものである。寸法Ｔは、２〜４０ｍｍに設定される。
これは寸法Ｗが２ミリ以下であると強度が不足し荷重Ｗが過小になってしまうため利用範囲が狭まるためである。また安定した支持が得にくくなるためである。
また４０ｍｍ以上になると、前記ハンガー３の寸法が、過大となるため本考案の目的である利便性が著しく損なわれることと設置部１の幅を取るため掛ける場所に制限が起きるためである。【００２８】    また荷重Ｗに関しては、０．１ｋｇから５ｋｇの範囲を設定している。
０．１ｋｇ以下であると、安定した支持が得にくくなるためと本考案の目的である範囲を越えるからである。また荷重Ｗが５ｋｇ以上になると、前記ハンガー３の寸法が、過大となり、本考案の目的である範囲を越えるからである。【００２９】ハンガー３の材質に関しては、必要な強度と適度な重量を有する例えば、アルミ・ステンレス・鉄・銅、等の金属や、アクリル合成樹脂樹脂・ポリカーボネイト樹脂・Ｐ．Ｐ等の合成樹脂、また木材、硬質加工紙等の紙等で構成することができる。
【実施例２】
【００３０】  本考案の実施例２を図５〜図７に示す。
図５は実施例２の正面図を示すものである。
図３は、実施例２の平面図を示し、図４は、実施例２の右側面図を示すものである。【００３１】  この実施例２のハンガー１０においては、支持部１１から捻り部１２が設けられ、湾曲部１３の中心部において９０度に捻られている。このように構成することで、湾曲部１３における曲げ断面係数が大きくなるため、強度が極めて上昇する利点を発揮する。加えて美観的デザイン性も向上し好ましいものとなる。【００３２】  また湾曲部１３の中心部から同様に捻り部１４を設け、受け部１５に掛けて９０度に捻られている。このように構成することで、受け部１５は幅寸法Ｔが大きくなるため物品２を安定して掛けられる効果を発揮する。
但し、該捻り部１４を設けることなく、そのまま伸張して、受け部の幅寸法Ｔを小さくすることもできる。【００３３】  寸法、重量、材質に関しては、実施例１と同様であるため説明は省略する。【００３４】    ［変形実施例］
この発明は次のように変形して実施することを含むものである。
（１）図８に示すごとく湾曲部６、１３の中央部分に、丁番等のヒンジ部１６を設けることにより、ハンガー３、１０を折畳むことができ、小型となり更に可搬性、収納性が向上することができる。また、ヒンジ部１６の軸心方向は、図８に示す水平方向の他、垂直方向、幅方向のいずれにも設けることができる。また、ヒンジ部１６は、複数箇所に設けてもよく、荷重に対し、更に形状が、自由に変位することができる。
（２）滑動防止手段５は、平板状でなく図９に示すごとくＲ状に形成することができる。このように形成すると、ハンガー３、１０はＲ面で旋回して、自然にバランスが取れ、更に安定した状態を得ることができる。
（３）滑動防止手段５は、図１０に示すごとくエッジ状に形成することができる。このように形成すると、エッジの先端部分が、設置部に例えば段差部を有する場合には、それに引っ掛かり更に脱落しにくく構成される。また、エッジは、複数列設けてもよい。
（４）湾曲部６、１３及び受け部７、１５等の断面、形状は、矩形の他、三角形、五角形、六角形、八角形等の多角形や、円、長円、楕円等の円形、弦巻バネ状、等のいずれの断面、形状を採用することができる。
【産業上の利用可能性】
【００３５】    本発明の活用例としては、以上説明したように、外出時等、飲食店、ゲームセンター、パチンコ店、喫茶店、映画館当の内外や、電車内等において、かばん、買物袋、ハンドバッグや帽子等を掛ける手段を得ることができ、健常者だけでなく、特にハンディキャップを有する人、老人等の利便性を大幅に向上させることができる。
【図面の簡単な説明】
【００３６】
【図１】  実施例１の使用状態を示す斜視図である。
【図２】  実施例１の正面図である。
【図３】  実施例１の平面図である。
【図４】  実施例１の右側面図である。
【図５】  実施例２の正面図である。
【図６】  実施例２の平面図である。
【図７】  実施例２の右側面図である。
【図８】  変形実施例１の正面図である。
【図９】  変形実施例２の正面図である。
【図１０】  変形実施例３の正面図である。
【符号の説明】
【００３７】１          設置部
２          物品
３、１０    ハンガー
４、１１    支持部
４ａ        支持点
５          滑動防止手段
６、１３    湾曲部
７、１５    受け部
７ａ        受け点
１２、１４  捻り部
１６        ヒンジ部
【図１】
0003117894.tif 000003
【図２】
0003117894.tif 000004
【図３】
0003117894.tif 000005
【図４】
0003117894.tif 000006
【図５】
0003117894.tif 000007
【図６】
0003117894.tif 000008
【図７】
0003117894.tif 000009
【図８】
0003117894.tif 000010
【図９】
0003117894.tif 000011
【図１０】
0003117894.tif 000012